(57)【要約】【課題】  レンズの輝度を減少させる防眩及び防反射の機能を備えて目を保護するテレビ用保護フィルムを提供する。【解決手段】  防眩及び防反射の機能を備えて目を保護するテレビ用保護フィルムは、レンズ１を備える。レンズ１は、プレート体１１、凹体１２、凸体１３及び染色粒子１４を有する。プレート体１１の表面上には、凹体１２及び凸体１３が設けられている。凹体１２及び凸体１３は、凹凸原理を利用して光線を屈折・反射させ、レンズ１にギラツキが発生することを防ぐ。プレート体１１上には、耐ＵＶの複数の染色粒子が設けられる。染色粒子により輝度を減らす。染色粒子１４は、黒色顔料の物質からなり、レンズ１の輝度を１００％から８０〜８８％まで下げ、染色粒子１４によりレンズ１の輝度を１２〜２０％減少させる。【選択図】  図２
0003173638.tif 000002
【実用新案登録請求の範囲】
【請求項１】
レンズを備えた防眩機能及び防反射機能を有するテレビ用保護フィルムであって、
前記レンズは、プレート体、凹体、凸体及び染色粒子を有し、前記プレート体の表面上には、前記凹体及び前記凸体が設けられ、前記凹体及び前記凸体は、凹凸原理を利用して光線を屈折・反射させて前記レンズにギラツキが発生することを防止し、前記プレート体上には、耐ＵＶの複数の前記染色粒子が設けられ、前記染色粒子により輝度を減少させ、前記染色粒子は、黒色顔料の物質からなり、前記レンズの輝度を１００％から８０〜８８％まで下げ、前記染色粒子により前記レンズの輝度を１２〜２０％減少させることを特徴とする防眩機能及び防反射機能を有するテレビ用保護フィルム。
【請求項２】
前記レンズは、前記プレート体及び前記染色粒子を有し、
前記プレート体は、アクリル材料からなり、
前記アクリル材料の前記プレート体と前記染色粒子との組み合わせ比率は９９７：３であり、
前記アクリル材料からなる前記プレート体上には、千分の三の耐ＵＶの前記染色粒子が設けられていることを特徴とする請求項１に記載の防眩機能及び防反射機能を有するテレビ用保護フィルム。
【請求項３】
前記レンズは、前記凹体及び前記凸体を有し、
前記プレート体の表面上には、１センチ平方メートル当り１２０目の前記凹体及び前記凸体が設けられていることを特徴とする請求項１に記載の防眩及び防反射の機能を有するテレビ用保護フィルム。
【考案の詳細な説明】
【技術分野】
【０００１】
本考案は、テレビ用保護フィルムに関するものであって、さらに詳しくは、防眩機能及び防反射機能を有するテレビ用保護フィルムに関するものであり、さらに詳しくは、テレビスクリーン又は液晶スクリーン上に設置して用いる防眩及び防反射機能を有し、目を保護することが可能なテレビ用保護フィルムに関するものである。
【背景技術】
【０００２】
従来の液晶スクリーン保護フィルムは、保護レンズ、２つの受け座及び２つのフック杆を含むものである。２つの受け座は、保護レンズの周縁上端の両側にそれぞれ固設され、垂直孔がそれぞれ設けられ、それら垂直孔に対して垂直に圧動ピンが挿設されている。この圧動ピンには、垂直孔に連通した係合孔が設けられている。圧動ピンと受け座との間には、弾性体が設けられている。２つのフック杆は、Ｔ字状の杆体である。各フック杆の垂直部分は、各垂直孔及び係合孔に貫設されて各受け座及び圧動ピンに挿通し、各フック杆の外側を向いた端部には、前後に移動させて調整可能なストッパが設けられている。
【０００３】
しかし、上述の液晶スクリーン保護フィルム装置は、保護レンズを使用するとギラツキが発生して目が不快になったり疲労したりすることがあり、保護レンズは輝度が高すぎる状態となるため、長時間テレビ画面を見た場合、目を傷めたり長時間見続けたりすることができなくなる。このような状況下にあってテレビ用保護フィルムの構造の改善が求められていた。
【考案の開示】
【考案が解決しようとする課題】
【０００４】
従って、本考案の課題は、レンズの輝度を減らして防眩機能及び防反射機能を有し、目を保護するテレビ用保護フィルムを提供することにある。
【０００５】
そこで、本考案者は、前記課題を解決するため鋭意検討を重ねた結果、レンズの輝度を減少させるため黒色顔料を使用し、耐ＵＶの染色粒子とレンズのプレート体とを組み合わせることにより達成できることに着目し、かかる知見に基いて本考案に想到した。
【課題を解決するための手段】
【０００６】
かくして、上記課題を解決するために、本考案によれば、レンズを備えた防眩機能及び防反射機能を有しテレビ用保護フィルムであって、
前記レンズは、プレート体、凹体、凸体及び染色粒子を有し、前記プレート体の表面上には、前記凹体及び前記凸体が設けられ、前記凹体及び前記凸体は、凹凸原理を利用して光線を屈折・反射させて前記レンズにギラツキが発生することを防止し、前記プレート体上には、耐ＵＶの複数の前記染色粒子が設けられ、前記染色粒子により輝度を減少させ、前記染色粒子は、黒色顔料の物質からなり、前記レンズの輝度を１００％から８０〜８８％まで下げ、前記染色粒子により前記レンズの輝度を１２〜２０％減少させることを特徴とする防眩機能及び防反射機能を有しテレビ用保護フィルムが提供される。
【０００７】
前記レンズは、前記プレート体及び前記染色粒子を有し、前記プレート体は、アクリル材料からなり、前記アクリル材料の前記プレート体と前記染色粒子との組み合わせ比率は９９７：３であり、前記アクリル材料からなる前記プレート体上には、千分の三の耐ＵＶの前記染色粒子が設けられていることが好ましい。
【０００８】
前記レンズは、前記凹体及び前記凸体を有し、前記プレート体の表面上には、１センチ平方メートル当り１２０目の前記凹体及び前記凸体が設けられていることが好ましい。
【考案の効果】
【０００９】
本考案の防眩及び防反射の機能を備えて目を保護するテレビ用保護フィルムは、黒色顔料を使用し、耐ＵＶの染色粒子とレンズのプレート体とを組み合わせることによりレンズの輝度を減らして防眩及び防反射の機能を得ることができる。
【図面の簡単な説明】
【００１０】
【図１】本考案の一実施形態による防眩及び防反射の機能を備えて目を保護するテレビ用保護フィルムを示す斜視図である。
【図２】図１のＡ部分を示す部分拡大図である。
【考案を実施するための形態】
【００１１】
以下、本考案の実施形態について図面に基づいて説明する。なお、これによって本考案が限定されるものではない。
【００１２】
図１及び図２を参照する。図１及び図２に示すように、本考案の一実施形態による防眩及び防反射の機能を備えて目を保護するテレビ用保護フィルムは、レンズ１を含む。
【００１３】
レンズ１は、アクリル材料からなる保護フィルムであり、少なくともプレート体１１、凹体１２、凸体１３及び染色粒子１４から構成される。プレート体１１の表面上には、１センチ平方メートル当り１２０目の凹体１２及び凸体１３が設けられている。凹体１２及び凸体１３は、凹凸原理を利用して光線を屈折・反射させ、レンズ１が防眩機能及び防反射機能を得る。プレート体１１上には、複数の耐ＵＶ染色粒子１４が設けられ、この染色粒子１４により輝度を減らして目を傷めることを防ぐ。染色粒子１４は、黒色顔料の物質からなり、染色粒子１４とプレート体１１との組み合わせ比率が３：９９７であることが好ましい。即ち、これはプレート体１１上に千分の三の耐ＵＶ染色粒子１４を設けることが最適であることを意味し、これにより輝度を１００％から８０〜８８％まで下げることができる。即ち、染色粒子１４によりレンズ１の輝度を１２〜２０％減らして目を傷めることを防ぐ。
【００１４】
本実施形態の防眩及び防反射の機能を備えて目を保護するテレビ用保護フィルムは、実際に使用する際、図１に示すように、一般の使用状況において、液晶スクリーンの前方にレンズ１を設置して目を保護する。液晶スクリーンをオンすると、まず、プレート体１１上の平方センチメートル当り１２０目の凹体１２及び凸体１３により光線が拡散・反射され、反射の過程において凹体１２と凸体１３との凹凸作用により光線が散乱する。この防眩及び防反射の機能により着者（ビューアー）の目に悪影響を与えることを防ぐとともに（図２を併せて参照する）、耐ＵＶの染色粒子１４により輝度を減らして適宜調整する。そのため目が不快になったり疲労したりすることを防ぎ、着者（ビューアー）の目の快適度を高めて目の健康を保つことができる。
【００１５】
本実施形態の防眩及び防反射の機能を備えて目を保護するテレビ用保護フィルムの長所は、図２に示すように、レンズの光線輝度を高輝度から低輝度へ下げるために、レンズのプレート体上に黒色かつ耐ＵＶの複数の染色粒子が設けられ、染色粒子とプレート体とを所定の比率で組み合わせることにより、レンズの輝度を適宜下げ、高輝度の光線により目を傷めることを防ぐことができる。このように防眩及び防反射の機能を得て、着者（ビューアー）の目の快適性を高めて目を保護することができる。
【００１６】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１    レンズ
１１  プレート体
１２  凹体
１３  凸体
１４  染色粒子
【図１】
0003173638.tif 000003
【図２】
0003173638.tif 000004